(57)【特許請求の範囲】
【請求項１】
少なくとも２つのローカルトランシーバ（１３０、１４０）と、
２つのローカルトランシーバ（１３０、１４０）を制御するために接続され、第１の通信リンク（ＣＯＭ−ＬＩＮＫ−１）が第１の物理層通信プロトコルを使用し、第２の通信リンク（ＣＯＭ−ＬＩＮＫ−２）が第２の物理層通信プロトコルを使用するように、２つのローカルトランシーバ（１３０、１４０）のうちの少なくとも１つを介してリモート端末（１５０）との並列な第１の通信リンクおよび第２の通信リンク（ＣＯＭ−ＬＩＮＫ−１、ＣＯＭ−ＬＩＮＫ−２）を確立するように構成されたコントローラ（１２０）であって、第２の物理層通信プロトコルが第１の物理層通信プロトコルと異なるか、または第１のトランシーバおよび第２のトランシーバ（１３０、１４０）が異なる周波数で動作するように構成される、コントローラ（１２０）と
を含み、
コントローラ（１２０）が、２つのローカルトランシーバ（１３０、１４０）に、第１の通信リンク（ＣＯＭ−ＬＩＮＫ−１）を介してリモート端末（１５０）に第２の通信リンク（ＣＯＭ−ＬＩＮＫ−２）のための物理層制御情報を伝達させるように構成され、物理層制御情報が電力要件、信号点配置情報、フレーム化パラメータ、誤り制御およびリンク品質測定の少なくとも１つである、装置（１１０）。
【請求項２】
制御情報が、第２の通信リンク（ＣＯＭ−ＬＩＮＫ−２）上の通信セッションを制御するのに使用するためのものである、請求項１に記載の装置（１１０）。
【請求項３】
制御情報が、第２の通信リンク（ＣＯＭ−ＬＩＮＫ−２）上の通信セッションを初期化するのに使用するためのものである、請求項１に記載の装置（１１０）。
【請求項４】
制御情報が、第２の通信リンク（ＣＯＭ−ＬＩＮＫ−２）上の通信セッションに関するパラメータを更新するのに使用するためのものである、請求項１に記載の装置（１１０）。
【請求項５】
ローカルトランシーバ（１３０、１４０）の組を動作させる方法であって、
それぞれ第１の物理層プロトコルおよび第２の物理層プロトコルを使用する並列な第１の物理層通信リンクおよび第２の物理層通信リンク（ＣＯＭ−ＬＩＮＫ−１、ＣＯＭ−ＬＩＮＫ−２）を確立するためにローカルトランシーバ（１３０、１４０）の組からリモート端末（１５０）に情報を送信するステップ（４１０）であって、第２の物理層通信プロトコルが第１の物理層通信プロトコルと異なるか、またはローカルトランシーバ（１３０、１４０）の組が異なる周波数で動作するように構成される、情報を送信するステップ（４１０）と、
ローカルトランシーバ（１３０、１４０）の組によってリモート端末（１５０）から情報を受信するステップ（４２０）とを含み、
送信するステップ（４１０）が、第１の物理層通信リンク（ＣＯＭ−ＬＩＮＫ−１）を介して第２の物理層通信リンク（ＣＯＭ−ＬＩＮＫ−２）に由来する物理層制御情報をリモート端末（１５０）に送信することであって、物理層制御情報が電力要件、信号点配置情報、フレーム化パラメータ、誤り制御およびリンク品質測定の少なくとも１つであることを含む、方法。
【請求項６】
物理層制御情報が、第２の物理層通信リンク（ＣＯＭ−ＬＩＮＫ−２）を確立するのに使用するためのものである、請求項５に記載の方法。
【請求項７】
物理層制御情報が、第２の物理層通信リンク（ＣＯＭ−ＬＩＮＫ−２）上の通信セッションを制御するのに使用するためのものである、請求項６に記載の方法。
【請求項８】
物理層制御情報が、第２の物理層通信リンク（ＣＯＭ−ＬＩＮＫ−２）上の通信セッションに関するパラメータを更新するのに使用するためのものである、請求項６に記載の方法。
【請求項９】
送信するステップ（４１０）が、
リモート端末（１５０）に送信されるべき情報の量に基づいて、第１の物理層通信リンクおよび第２の物理層通信リンク（ＣＯＭ−ＬＩＮＫ−１、ＣＯＭ−ＬＩＮＫ−２）のうちの一方または両方を介して情報を送信するステップを含む、請求項５に記載の方法。
【請求項１０】
送信するステップ（４１０）が、
第１の物理層通信リンクおよび第２の物理層通信リンク（ＣＯＭ−ＬＩＮＫ−１、ＣＯＭ−ＬＩＮＫ−２）のうちの一方の誤り率に基づいて、第１の物理層通信リンクおよび第２の物理層通信リンク（ＣＯＭ−ＬＩＮＫ−１、ＣＯＭ−ＬＩＮＫ−２）のうちの一方または両方を介して情報を送信するステップを含む、請求項５に記載の方法。
【発明の詳細な説明】
【背景技術】
【０００１】
通信ネットワーク、特に、バックホールネットワーク、境界ネットワーク、およびアクセスネットワークは、銅線ネットワーク、同軸ケーブル、および光ネットワークなどの固定リンクネットワーク、ならびに無線アクセスネットワークからなる。固定リンクネットワークは、概して高帯域幅を有するポイントツーポイント接続を提供する。そのような接続は、チャネルの変動がそれほど起こらない。無線アクセスネットワークは、ポイントツーマルチポイント接続を提供し、概して、必要なインフラストラクチャが比較的少なく、配置するのが比較的容易である。通常、そのような接続は、チャネルの変動が比較的起こりやすい。
【０００２】
新しい通信ネットワーク技術の開発および標準化は、現在、多種多様な応用をより手厚くサポートするために、帯域幅の増加、サービス品質（ＱｏＳ）の向上、およびレイテンシーの削減に焦点を当てる。これらの応用は、高精細度テレビジョン、オンラインゲーム、およびリアルタイムビデオを含む。
【０００３】
固定ネットワークと無線ネットワークは、両方とも、広く配置されている。固定ネットワークは、コアネットワークと固定リモート端末（ＲＴ）の間の通信を提供することが多い。概して、ローカル無線ネットワークは、屋内での接続性を提供する。ＩＥＥＥ８０２．１６（ＷｉＭＡＸ）などのその他の無線ネットワーク技術は、数百ヤードまたはさらには数マイルの範囲の無線接続性を提供することができる。したがって、固定ネットワークと無線ネットワークは、直列式に接続されることが多い。
【０００４】
例えば、デジタル加入者線（ＤＳＬ）ラインを終端するＲＴは、屋内での通信のための無線ルータに接続されることが多い。セルラーネットワークなどのその他の無線ネットワークは、固定広帯域アクセスネットワークとは独立に動作する。
【先行技術文献】
【非特許文献】
【０００５】
【非特許文献１】「Ｖｅｒｙ  ｈｉｇｈ  ｓｐｅｅｄ  ｄｉｇｉｔａｌ  ｓｕｂｓｃｒｉｂｅｒ  ｌｉｎｅ  ｔｒａｎｓｃｅｉｖｅｒｓ  ２（ＶＤＳＬ２）」、Ｓｅｒｉｅｓ  Ｇ：Ｔｒａｎｓｍｉｓｓｉｏｎ  Ｓｙｓｔｅｍｓ  ａｎｄ  Ｍｅｄｉａ，Ｄｉｇｉｔａｌ  Ｓｙｓｔｅｍｓ  ａｎｄ  Ｎｅｔｗｏｒｋｓ、ＩＴＵ  Ｇ．９９３．２、２００６年２月
【非特許文献２】「Ｈａｎｄｓｈａｋｅ  ｐｒｏｃｅｄｕｒｅｓ  ｆｏｒ  ｄｉｇｉｔａｌ  ｓｕｂｓｃｒｉｂｅｒ  ｌｉｎｅ（ＤＳＬ）  ｔｒａｎｓｃｅｉｖｅｒｓ」、Ｓｅｒｉｅｓ  Ｇ：Ｔｒａｎｓｍｉｓｓｉｏｎ  Ｓｙｓｔｅｍｓ  ａｎｄ  Ｍｅｄｉａ，Ｄｉｇｉｔａｌ  Ｓｙｓｔｅｍｓ  ａｎｄ  Ｎｅｔｗｏｒｋｓ、ＩＴＵ  Ｇ．９９４．１、２００７年２月
【非特許文献３】ＩＥＥＥ８０２．１１シリーズ
【非特許文献４】ＩＥＥＥ８０２．１６シリーズ
【非特許文献５】ＩＥＥＥ８０２．３シリーズ
【非特許文献６】ＩＴＵ  Ｔ  Ｒｅｃｏｍｍｅｎｄａｔｉｏｎｓ  Ｇ．９８４．１／２／３
【非特許文献７】ＩＴＵ  Ｔ  Ｒｅｃｏｍｍｅｎｄａｔｉｏｎｓ  Ｊ．２２２．１／２／３
【発明の概要】
【課題を解決するための手段】
【０００６】
本願は、少なくとも２重送信ネットワークを開示する。２重送信ネットワークは、複数のローカルトランシーバを含むことができ、無線および固定などの２種類のリンクが制御情報およびデータを伝えるために並列式に機能するハイブリッドアーキテクチャを使用することができる。固定および無線アクセスポイントのハイブリッドアーキテクチャは、リンク初期化時間を短縮し、即座に帯域幅の要件に対処する、固定技術と無線技術を組み合わせる強みを生かして、誤り耐性を向上し、全体的な性能を高める。
【０００７】
少なくとも１つの例示的な実施形態は、少なくとも２つのローカルトランシーバ、およびコントローラを含む装置を対象とする。コントローラは、２つのローカルトランシーバを制御するために接続され、ローカルトランシーバのうちの少なくとも１つを介してリモート端末との並列な第１の通信リンクおよび第２の通信リンクを確立するように構成される。第１の通信リンクは、第１の物理層通信プロトコルを使用し、第２の通信リンクは、第２の物理層通信プロトコルを使用する。第２の物理層通信プロトコルが、第１の物理層通信プロトコルと異なる可能性があるか、または第１のトランシーバおよび第２のトランシーバが、異なる周波数で動作するように構成される可能性がある。
【０００８】
別の例示的な実施形態は、ローカルトランシーバの組を動作させる方法を開示する。方法は、それぞれ第１の物理層プロトコルおよび第２の物理層プロトコルを使用する並列な第１の物理層通信リンクおよび第２の物理層通信リンクを確立するためにローカルトランシーバの組からリモート端末に情報を送信するステップを含む。第２の物理層通信プロトコルが、第１の物理層通信プロトコルと異なる可能性があるか、またはローカルトランシーバの組が、異なる周波数で動作するように構成される可能性がある。方法は、ローカルトランシーバの組でリモート端末から情報を受信するステップをさらに含む。
【０００９】
例示的な実施形態は、以下の詳細な説明を添付の図面と併せて考慮することによってより明確に理解されるであろう。図１−８は、本明細書に記載の非限定的な例示的な実施形態を示す。
【図面の簡単な説明】
【００１０】
【図１】例示的な実施形態によるローカルマルチトランシーバユニットを示す図である。
【図２】例示的な実施形態による、リモート端末との通信リンクを確立するローカルマルチトランシーバユニットを示す図である。
【図３】例示的な実施形態によるハイブリッド２重媒体ネットワークを示す図である。
【図４】例示的な実施形態による、トランシーバの組を動作させる方法を示す図である。
【図５Ａ】例示的な実施形態による、リモート端末に送信されるべき情報に応じてトランシーバの組を動作させる方法を示す図である。
【図５Ｂ】例示的な実施形態による、リモート端末から情報を受信することに応じてトランシーバの組を動作させる方法を示す図である。
【図６】例示的な実施形態による、送信要求に応じてトランシーバの組を動作させる方法を示す図である。
【図７】例示的な実施形態による、チャネルの性能の変化に応じてトランシーバの組を動作させる方法を示す図である。
【図８】例示的な実施形態による、トランシーバを作動および停止する方法を示す図である。
【発明を実施するための形態】
【００１１】
ここで、さまざまな例示的な実施形態が、いくつかの例示的な実施形態が図示されている添付の図面を参照してより十分に説明される。図面において、層の厚みおよび領域は、明確にするために誇張される可能性がある。
【００１２】
したがって、例示的な実施形態はさまざまな修正および代替的な形態が可能であるが、それらの実施形態が、例として図面に示され、本明細書において詳細に説明される。しかし、例示的な実施形態を開示された特定の形態に限定する意図はなく、むしろ反対に、例示的な実施形態は、特許請求の範囲内に入るすべての修正、均等物、および変更を包含すべきであることを理解されたい。図の説明全体を通して、同様の番号は同様の要素を指す。
【００１３】
用語「第１の」、「第２の」などが、さまざまな要素を説明するために本明細書において使用される可能性があるが、これらの要素は、これらの用語によって限定されるべきでないことが理解されるであろう。これらの用語は、ある要素を別の要素と区別するためにだけ使用される。例えば、例示的な実施形態の範囲を逸脱することなしに、第１の要素が第２の要素と呼ばれる可能性があり、同様に、第２の要素が第１の要素と呼ばれる可能性がある。本明細書において使用されるとき、用語「および／または」は、関連する列挙された項目のうちの１つまたは複数の任意のおよびすべての組み合わせを含む。
【００１４】
要素が別の要素に「接続される」または「結合される」と言われるとき、その要素がその別の要素に直接接続もしくは結合される可能性があるか、または仲立ちする要素が存在する可能性があることが理解されるであろう。対照的に、要素が別の要素に「直接接続される」または「直接結合される」と言われるとき、仲立ちする要素は存在しない。要素間の関係を示すために使用されるその他の語は、同様にして解釈されるべきである（例えば、「−の間」と「直接的に−の間」、「付近の−」と「直接隣接する−」など）。
【００１５】
本明細書において使用される用語は、特定の実施形態を説明することのみを目的としており、例示的な実施形態の限定であるように意図されていない。本明細書において使用されるとき、単数形「ａ」、「ａｎ」、および「ｔｈｅ」は、文脈がそうでないことを明確に示さない限り、複数系も含むように意図される。用語「含む（ｃｏｍｐｒｉｓｅｓ）」、「含む（ｃｏｍｐｒｉｓｉｎｇ）」、「含む（ｉｎｃｌｕｄｅｓ）」、および／または「含む（ｉｎｃｌｕｄｉｎｇ）」は、本明細書において使用されるとき、言及された特徴、完全体（ｉｎｔｅｇｅｒ）、ステップ、オペレーション、要素、および／またはコンポーネントの存在を指定するが、１つまたは複数のその他の特徴、完全体、ステップ、オペレーション、要素、コンポーネントおよび／またはそれらの群の存在または追加を排除しないことがさらに理解されるであろう。
【００１６】
一部の代替的な実装において、示された機能／動作が、図に示された順序とは異なる順序で行われ得ることにも留意されたい。例えば、連続で示された２つの図が、実際には実質的に同時に実行される可能性があり、または関連する機能／動作に応じて逆順に実行される場合もあり得る。
【００１７】
別途定義されない限り、本明細書において使用されるすべての用語（技術用語および科学用語を含む）は、例示的な実施形態が属する技術分野の当業者によって通常理解されるのと同じ意味を有する。用語、例えば、よく使用される辞書で定義された用語は、関連技術の中でのそれらの用語の意味にふさわしい意味を持つと解釈されるべきであり、本明細書において明示的にそのように定義されない限り非現実的なまたは過度に型通りの意味に解釈されないことがさらに理解されるであろう。
【００１８】
例示的な実施形態および対応する詳細な説明の一部は、ソフトウェア、またはコンピュータメモリ内のデータビットに対するオペレーションのアルゴリズムおよび記号的表現の観点で示される。これらの記述および表現は、当業者がそれらの当業者の成果の内容をその他の当業者に効果的に伝える記述および表現である。アルゴリズムは、本明細書において使用されるとき、および一般的に使用されるとき、所望の結果をもたらす自己矛盾のない一連のステップのであると考えられる。ステップとは、物理量の物理的操作を必要とするステップである。必ずではないが通常は、これらの量は、記憶、転送、組み合わせ、比較、およびその他の操作を行われ得る光学的、電気的、または磁気的信号の形態をとる。これらの信号をビット、値、要素、シンボル、文字、項、数などと呼ぶことが、主に共通使用の理由で便利な場合があることが分かっている。
【００１９】
以下の説明において、例示的な実施形態が、プログラムモジュールとして実装され得る（例えば、流れ図の形態の）オペレーションの動作および記号的表現を参照して説明され、または機能的プロセスが、特定のタスクを実行するか、もしくは特定の抽象データ型を実装するルーチン、プログラム、オブジェクト、コンポーネント、データ構造などを含み、既存のネットワーク要素または制御ノード（例えば、基地局もしくはノードＢに配置されたスケジューラ）で既存のハードウェアを使用して実装され得る。そのような既存のハードウェアは、１つまたは複数の中央演算処理装置（ＣＰＵ）、デジタル信号プロセッサ（ＤＳＰ）、特定用途向け集積回路（ＡＳＩＣ）、フィールドプログラマブルゲートアレイ（ＦＰＧＡ）コンピュータなどを含み得る。
【００２０】
しかし、これらのおよび同様の用語のすべては、適切な物理量に関連付けられるべきであり、これらの量に付される便宜的なラベルであるにすぎないことに留意されたい。別途具体的に示されない限り、または説明から明らかな場合には、「処理する」、または「計算する」、または「算定する」、または「表示」の「決定」などの用語は、コンピュータシステムのレジスタおよびメモリ内で物理的電子的量として表されるデータを操作し、コンピュータシステムのメモリ、またはレジスタ、またはその他のそのような情報記憶、送信、もしくは表示デバイス内で同様に物理量として表されるその他のデータに変換するコンピュータシステム、または同様の電子的コンピューティングデバイスの動作およびプロセスを指す。
【００２１】
例示的な実施形態のソフトウェアで実装される態様は、通常、何らかの形態のプログラムストレージ媒体上に符号化されるか、または何らかの種類の伝送媒体上に実装されることにも留意されたい。プログラムストレージ媒体は、磁気式である（例えば、フロッピー（登録商標）ディスクもしくはハードドライブ）か、または光学式である（例えば、コンパクトディスク読み出し専用メモリもしくは「ＣＤ  ＲＯＭ」）可能性があり、読み出し専用であるか、またはランダムアクセス式である可能性がある。同様に、伝送媒体は、ツイストペア線、同軸ケーブル、光ファイバ、また当技術分野に知られている何らかのその他の好適な伝送媒体である可能性がある。例示的な実施形態は、任意の所与の実装のこれらの態様によって限定されない。
【００２２】
例示的な実施形態は、２重送信ネットワークを含む通信ネットワークを対象とする。例示的な実施形態の少なくとも一部は、２重送信媒体を含む２重送信ネットワーク（ハイブリッド２重媒体ネットワーク）を開示する。ハイブリッド２重媒体ネットワークは、無線および固定などの２種類のリンクが制御情報およびデータを伝えるために並列式に機能するハイブリッドアーキテクチャを使用する。固定および無線アクセスポイントのハイブリッドアーキテクチャは、リンク初期化時間を短縮し、即座に帯域幅の要件に対処する、固定技術と無線技術を組み合わせる強みを生かして、誤り耐性を向上し、全体的な性能を高める。これは、固定チャネルおよび無線チャネルを並列に動作させるために使用される接合ハイブリッド媒体コントローラによって実現される。
【００２３】
図１は、ネットワークで使用されるローカルマルチトランシーバユニット（ＬＭＴＵ）の例示的な実施形態を示す。示されるように、ＬＭＴＵ１１０は、ネットワーク１００に含まれる。ＬＭＴＵ１１０は、「Ｖｅｒｙ  ｈｉｇｈ  ｓｐｅｅｄ  ｄｉｇｉｔａｌ  ｓｕｂｓｃｒｉｂｅｒ  ｌｉｎｅ  ｔｒａｎｓｃｅｉｖｅｒｓ  ２（ＶＤＳＬ２）」、Ｓｅｒｉｅｓ  Ｇ：Ｔｒａｎｓｍｉｓｓｉｏｎ  Ｓｙｓｔｅｍｓ  ａｎｄ  Ｍｅｄｉａ，Ｄｉｇｉｔａｌ  Ｓｙｓｔｅｍｓ  ａｎｄ  Ｎｅｔｗｏｒｋｓ、ＩＴＵ  Ｇ．９９３．２、２００６年２月で定義されたアクセスノードまたはアクセスノードの一部である可能性がある。ＬＭＴＵ１１０は、以下でより詳細に説明されるように、第１の通信リンクおよび第２の通信リンクＣＯＭ−ＬＩＮＫ−１およびＣＯＭ−ＬＩＮＫ−２のうちの少なくとも１つを介してリモートマルチトランシーバユニット（ＭＴＵ）１５０（リモート端末）と通信するように構成される。
【００２４】
ＬＭＴＵ１１０は、ハイブリッド媒体コントローラ１２０、ならびに第１のローカルトランシーバ１３０および第２のローカルトランシーバ１４０を含む。ハイブリッド媒体コントローラ１２０は、第１のローカルトランシーバ１３０および第２のローカルトランシーバ１４０に接続される。図１に示されるように、データは、ハイブリッド媒体コントローラ１２０へ／から入力および出力されるが、データは、第１のローカルトランシーバ１３０および第２のローカルトランシーバ１４０へ／から直接入力および出力され得ることを理解されたい。ＬＭＴＵ１１０は、３つ以上のトランシーバを含む可能性があり、これらのトランシーバを並列に動作させ得ることを理解されたい。
【００２５】
第１のローカルトランシーバ１３０は、第１のインターフェース１３２および第１のローカルコントローラ１３５を含む。第１のローカルコントローラ１３５は第１のインターフェース１３２とは別れて示されているが、第１のローカルコントローラ１３５は、第１のインターフェース１３２に実装され得ることを理解されたい。さらに、本明細書で説明されるハイブリッド媒体コントローラ１２０の機能の少なくとも一部は、第１のローカルコントローラ１３５に実装され得る。
【００２６】
第１のインターフェース１３２は、階層化されたアーキテクチャに基づくことができる。階層化されたアーキテクチャの構造は、開放型システム間相互接続（ＯＳＩ）モデルに基づくことができる。知られているように、ＯＳＩモデルは、最下層から最上層に向かって、物理層、データリンク層、ネットワーク層、トランスポート層、セッション層、プレゼンテーション層、およびアプリケーション層を含む。伝送媒体およびプロトコルに応じて、各層は、複数の副層を有する可能性がある。
【００２７】
示されるように、第１のインターフェース１３２は、物理層ＰＨＹ−１、データリンク層ＬＩＮＫ−１、およびネットワーク層ＮＥＴＷＯＲＫ−１を含む。データリンク層ＬＩＮＫ−１は、第１の媒体アクセス制御（ＭＡＣ）副層を含む。３つの層だけが示されているが、当業者は、４つ以上の層が第１のインターフェース１３２で使用され得ることを理解するに違いない。物理層ＰＨＹ−１は、リモートＭＴＵ１５０との第１の通信リンクＣＯＭ−ＬＩＮＫ−１を確立するために使用される第１の物理層通信プロトコルに基づく。第１の通信リンクＣＯＭ−ＬＩＮＫ−１は、例えば、ポイントツーポイント通信の固定リンクである可能性がある。
【００２８】
第２のローカルトランシーバ１４０は、第２のインターフェース１４２および第２のローカルコントローラ１４５を含む。第１のローカルコントローラ１４５は第１のインターフェース１４２とは離れて示されているが、第１のローカルコントローラ１４５は、第１のインターフェース１４２内に実装され得ることを理解されたい。さらに、本明細書で説明されるハイブリッド媒体コントローラ１２０の機能の少なくとも一部は、第２のローカルコントローラ１４５に実装され得る。
【００２９】
第２のインターフェース１４２は、やはり、階層化されたアーキテクチャに基づくことができる。示されるように、第２のインターフェース１４２は、物理層ＰＨＹ−２、データリンク層ＬＩＮＫ−２、およびネットワーク層ＮＥＴＷＯＲＫ−２を含む。データリンク層ＬＩＮＫ−２は、第２のＭＡＣ副層を含む。３つの層だけが示されているが、当業者は、４つ以上の層が第２のインターフェース１４２で使用され得ることを理解するに違いない。物理層ＰＨＹ−２は、リモートＭＴＵ１５０との第２の通信リンクＣＯＭ−ＬＩＮＫ−２を確立するために使用される第２の物理層通信プロトコルに基づく。第２の通信リンクＣＯＭ−ＬＩＮＫ−２は、例えば、ポイントツーポイント通信の固定リンクである可能性がある。しかし、第１の通信リンクＣＯＭ−ＬＩＮＫ−１および第２の通信リンクＣＯＭ−ＬＩＮＫ−２は、同じ種類の通信リンクであるか、または異なる種類の通信リンクである可能性があることを理解されたい。したがって、ネットワーク１００は、固定通信リンクと無線通信リンク、２つの固定通信リンク、または２つの無線通信リンクを使用する可能性がある。
【００３０】
各物理層ＰＨＹ−１およびＰＨＹ−２は、チャネルを介した通信を提供する。各リンク層ＬＩＮＫ−１およびＬＩＮＫ−２は、データを転送するための機能的および手続き的手段を提供する。各ネットワーク層ＮＥＴＷＯＲＫ−１およびＮＥＴＷＯＲＫ−２は、送信元から送信先にデータシーケンスを転送するタスクを与えられる。例えば、インターネットプロトコル（ＩＰ）などのプロトコルが、ネットワーク層で働くことができる。
【００３１】
第２の物理層通信プロトコルは、第１の物理層通信プロトコルと同じであるか、または異なる可能性がある。例えば、第１の物理層通信プロトコルは、無線通信用のプロトコルである可能性があり、第２の物理層通信プロトコルは、光または有線通信プロトコルである可能性がある。したがって、第１のローカルトランシーバ１３０は、無線トランシーバであり、第２のローカルトランシーバ１４０は、光または有線通信トランシーバである。別の例においては、第１と第２両方の物理層通信プロトコルは、無線リンク用であるが、ただし異なる周波数で動作する可能性がある。したがって、第１のローカルトランシーバ１３０と第２のローカルトランシーバ１４０の両方は、無線トランシーバであり、第１の通信リンクＣＯＭ−ＬＩＮＫ−１および第２の通信リンクＣＯＭ−ＬＩＮＫ−２は、無線通信リンクである。
【００３２】
ハイブリッド媒体コントローラ１２０は、第１のローカルトランシーバ１３０および第２のローカルトランシーバ１４０に、それぞれ、第１のローカルコントローラ１３５および第２のローカルコントローラ１４５を介して第１のローカルトランシーバ１３０と第２のローカルトランシーバ１４０の間で低レベル制御情報を共有および転送させるように構成される。第１のローカルコントローラ１３５および第２のローカルコントローラ１４５は、それぞれ、第１のインターフェース１３２および第２のインターフェース１４２の内部のレジスタおよびメモリ領域に対する読み出しおよび制御されたアクセスを提供する。
【００３３】
ハイブリッド媒体コントローラ１２０は、さらなるローカルトランシーバの間で低レベル制御情報を共有および転送するようにさらに構成され得ることを理解されたい。ハイブリッド媒体コントローラ１２０は、第１のローカルトランシーバ１３０および第２のローカルトランシーバ１４０とは別の箱として示されているが、ハイブリッド媒体コントローラ１２０は、第１のローカルトランシーバ１３０および第２のローカルトランシーバ１４０のうちの少なくとも１つに実装され得ることを理解されたい。さらに、ハイブリッド媒体コントローラ１２０は、第１のローカルコントローラ１３５および第２のローカルコントローラ１４５のうちの少なくとも１つに実装される可能性があり、それぞれ、第１のインターフェース１３２および第２のインターフェース１４２の機能の一部を含む可能性がある。ハイブリッド媒体コントローラ１２０が第１のローカルトランシーバおよび第２のローカルトランシーバのうちの一方のみに実装される場合、ハイブリッド媒体コントローラ１２０を含まないローカルトランシーバは、そのローカルトランシーバのローカルコントローラを含まない可能性があることを理解されたい。
【００３４】
ハイブリッド媒体コントローラ１２０が第１のローカルコントローラ１３５と第２のローカルコントローラ１４５の両方に実装される例においては、第１のローカルコントローラ１３５および第２のローカルコントローラ１４５は、マスター−スレーブ構成で動作する可能性がある。
【００３５】
ハイブリッド媒体コントローラ１２０は、下位層の内部状態のほとんど、ならびに第１のローカルコントローラ１３５および第２のローカルコントローラ１４５を介したシグナリングのほとんどを監視することができる。例えば、第１のローカルトランシーバ１３０および第２のローカルトランシーバ１４０のうちの１つの初期化は、リンクを確立するための初期シグナリング（例えば、シンボル同期、フレーム同期、チャネル品質の測定、および（即時的な）チャネル状態情報）を含み得る。上位の通信層には通常は隠されるこの情報が、ローカルコントローラ１３５および１４５によって、ハイブリッド媒体コントローラが利用できるようにされる。通常動作中、ハイブリッド媒体コントローラ１２０は、検波器およびパケットデコーダの出力および状態を監視する。（例えば、自動再送要求（ＡＲＱ）方式を用いた）再送信、またはハイブリッド（ＡＲＱ）におけるような増加的冗長化（ｉｎｃｒｅｍｅｎｔａｌ  ｒｅｄｕｎｄａｎｃｙ）が使用される場合、ハイブリッド媒体コントローラ１２０は、第１の通信リンクＣＯＭ−ＬＩＮＫ−１および第２の通信リンクＣＯＭ−ＬＩＮＫ−２のうちのどちらを使用すべきかを決定することができる。ハイブリッド媒体コントローラ１２０は、第１の通信リンクＣＯＭ−ＬＩＮＫ−１と第２の通信リンクＣＯＭ−ＬＩＮＫ−２の両方を使用すると決定する可能性がある。
【００３６】
第１の通信リンクＣＯＭ−ＬＩＮＫ−１と第２の通信リンクＣＯＭ−ＬＩＮＫ−２のうちの１つに突然の送信の問題（例えば、マイクロカット（ｍｉｃｒｏ−ｃｕｔ）、強いインパルス雑音、深いフェージング）がある場合、ハイブリッド媒体コントローラ１２０は、他方の通信リンクを使用して（例えば、通信の一時的な切断の場合）何が起こったかを調べ、再送信を支援し、同時に、通信を引き継ぎ、通信リンクの再確立を支援することができる。共有される低レベル制御情報は、第１のインターフェース１３２および第２のインターフェース１４２の通信スタックによって変わる可能性がある。
【００３７】
プロトコルによって、低レベル制御情報は、物理層制御情報および／またはデータリンク層制御情報である可能性がある。図１に示された例示的な実施形態において、ハイブリッド媒体コントローラ１２０は、第１のローカルコントローラ１３５および第２のローカルコントローラ１４５を介してインターフェース１３２および１４２の通信スタックの層の内部状態およびパラメータに直接アクセスできる。したがって、マスター−スレーブ構成が、ハイブリッド媒体コントローラ１２０とインターフェース１３２および１４２との間に存在し得る。
【００３８】
物理層制御情報の例は、機器の種類に関する情報と、電力要件と、信号点配置情報と、フレーム化形式と、フレーム化パラメータと、前方誤り制御（ｆｏｒｗａｒｄ  ｅｒｒｏｒ  ｃｏｎｔｒｏｌ）（ＦＥＣ）設定と、信号対雑音比（ＳＮＲ）、ＦＥＣ状態情報、ハイブリッド自動再送要求（ＡＲＱ肯定応答および否定応答）巡回冗長検査（ＣＲＣ）状態情報、ならびにビット誤りおよびパケット誤り率などのリンク品質測定値とを含む。
【００３９】
低レベル制御情報のさらなる例は、「Ｖｅｒｙ  ｈｉｇｈ  ｓｐｅｅｄ  ｄｉｇｉｔａｌ  ｓｕｂｓｃｒｉｂｅｒ  ｌｉｎｅ  ｔｒａｎｓｃｅｉｖｅｒｓ  ２（ＶＤＳＬ２）」、Ｓｅｒｉｅｓ  Ｇ：Ｔｒａｎｓｍｉｓｓｉｏｎ  Ｓｙｓｔｅｍｓ  ａｎｄ  Ｍｅｄｉａ，Ｄｉｇｉｔａｌ  Ｓｙｓｔｅｍｓ  ａｎｄ  Ｎｅｔｗｏｒｋｓ、ＩＴＵ  Ｇ．９９３．２、２００６年２月、および「Ｈａｎｄｓｈａｋｅ  ｐｒｏｃｅｄｕｒｅｓ  ｆｏｒ  ｄｉｇｉｔａｌ  ｓｕｂｓｃｒｉｂｅｒ  ｌｉｎｅ（ＤＳＬ）  ｔｒａｎｓｃｅｉｖｅｒｓ」、Ｓｅｒｉｅｓ  Ｇ：Ｔｒａｎｓｍｉｓｓｉｏｎ  Ｓｙｓｔｅｍｓ  ａｎｄ  Ｍｅｄｉａ，Ｄｉｇｉｔａｌ  Ｓｙｓｔｅｍｓ  ａｎｄ  Ｎｅｔｗｏｒｋｓ、ＩＴＵ  Ｇ．９９４．１、２００７年２月で与えられている。無線通信における低レベル制御情報の例は、無線ローカルエリアネットワーク通信に関する規格のＩＥＥＥ８０２．１１シリーズ、および無線広帯域アクセスに関する規格のＩＥＥＥ８０２．１６シリーズで与えられ得る。受動光ネットワークにおける低レベル制御情報の例は、有線イーサネット（登録商標）の物理層およびリンク層を定義する規格のＩＥＥＥ８０２．３シリーズ、受動光ネットワークに関するＩＴＵ  Ｔ  Ｒｅｃｏｍｍｅｎｄａｔｉｏｎｓ  Ｇ．９８４．１／２／３、および同軸ケーブルに関するＩＴＵ  Ｔ  Ｒｅｃｏｍｍｅｎｄａｔｉｏｎｓ  Ｊ．２２２．１／２／３で与えられ得る。
【００４０】
第１のローカルトランシーバ１３０および第２のローカルトランシーバ１４０は、制御情報を共有するように構成され、したがって、ユーザの視点からは１つの送信機−受信機の組に見える可能性がある。例えば、第１の通信リンクＣＯＭ−ＬＩＮＫ−１および第２の通信リンクＣＯＭ−ＬＩＮＫ−２は、ユーザによって１つの論理リンクとみなされる。ハイブリッド媒体コントローラ１２０は、さまざまなレベルで第１のローカルトランシーバ１３０と第２のローカルトランシーバ１４０を接続することができる。例えば、インターフェース／バスが、第１のトランシーバ１３０のチップセットから第２のトランシーバ１４０のチップセットまで設けられ、それによって、物理層ＰＨＹ−１とＰＨＹ−２の物理層の接続を設けることができる。
【００４１】
低レベル制御情報は、フレームにまとめられ、通信スタックを介して上層に送信されることもできる。低レベル制御情報の形式および表現は、プロトコルで内部的に使用される表現と同一であるか、またはそれに類似している可能性がある。例えば、第１のローカルトランシーバ１３０で受信された低レベル制御情報が、フレームにまとめられ、上位層に向かってネットワーク層ＮＥＴＷＯＲＫ−１を介してハイブリッド媒体コントローラ１２０に送信されることができる。次に、低レベル制御情報は、ネットワーク層ＮＥＴＷＯＲＫ−２に送信され、物理層ＰＨＹ−２まで第２のインターフェース１４２の通信スタックを下るように送信され得る。低レベル制御情報は、ハイブリッド媒体コントローラ１２０とデータリンク層ＬＩＮＫ−１およびＬＩＮＫ−２の間で直接転送される可能性もある。
【００４２】
ハイブリッド媒体コントローラ１２０は低レベル制御情報にアクセスできるので、ハイブリッド媒体コントローラ１２０は、リモートＭＴＵ１５０との第１の通信リンクＣＯＭ−ＬＩＮＫ−１および第２の通信リンクＣＯＭ−ＬＩＮＫ−２を並列に確立するように構成される。さらに、第１の通信リンクＣＯＭ−ＬＩＮＫ−１および第２の通信リンクＣＯＭ−ＬＩＮＫ−２はそれぞれ単一のリンクとして示されているが、第１の通信リンクＣＯＭ−ＬＩＮＫ−１および第２の通信リンクＣＯＭ−ＬＩＮＫ−２は、ＬＭＴＵ１１０およびリモートＭＴＵ１５０から複数のポイント（例えば、ネットワーク上のノード）およびプロトコルを含み得ることを理解されたい。
【００４３】
図２は、第２の通信リンクＣＯＭ−ＬＩＮＫ−２を確立する例示的な実施形態を示す。例えば、第２の通信リンクＣＯＭ−ＬＩＮＫ−２が確立中であるとき、ハイブリッド媒体コントローラ１２０およびリモートＭＴＵ１５０は、第１のローカルトランシーバ１３０およびリモートＭＴＵ１５０の対応する第１のリモートトランシーバ１７０を介して低レベル制御情報を交換する。より具体的には、低レベル制御情報は、第２のローカルトランシーバ１４０からハイブリッド媒体コントローラ１２０に転送される。ハイブリッド媒体コントローラ１２０は、第１のローカルトランシーバ１３０と低レベル制御情報を共有して、リモートＭＴＵ１５０とすでに確立されている第１の通信リンクＣＯＭ−ＬＩＮＫ−１を介して低レベル制御情報を送信する。第１のリモートトランシーバ１７０が低レベル制御情報を受信するとき、第１のリモートトランシーバ１７０は、第２のハイブリッド媒体コントローラ１６０に低レベル制御情報を転送し、次に、第２のハイブリッド媒体コントローラ１６０が、第２のリモートトランシーバ１８０に低レベル制御情報を転送する。そして、第２のリモートトランシーバ１８０および第２のローカルトランシーバ１４０が、低レベル制御情報を用いて第２の通信リンクＣＯＭ−ＬＩＮＫ−２を確立することができる。
【００４４】
したがって、低レベル制御情報は、第２の通信リンクＣＯＭ−ＬＩＮＫ−２が確立中である間に、第２の通信リンクＣＯＭ−ＬＩＮＫ−２上の速度を改善し、レイテンシーを削減し、および／または帯域幅を節約するために第１の通信リンクＣＯＭ−ＬＩＮＫ−１上で交換され得る。第１の通信リンクＣＯＭ−ＬＩＮＫ−１が利用できることは、概して初期化中に交換される低レベル制御情報が（第１の通信リンクＣＯＭ−ＬＩＮＫ−１が信頼できる通信を提供する限り）超ロバストである必要がないので、第２の通信リンクＣＯＭ−ＬＩＮＫ−２の迅速なセットアップを可能にする。第２のハイブリッド媒体コントローラ１６０は、ハイブリッド媒体コントローラ１２０と同じである可能性がある。したがって、第２のハイブリッド媒体コントローラ１６０の説明は、明瞭かつ簡潔にするために省略される。
【００４５】
結果的に、第２の通信リンクＣＯＭ−ＬＩＮＫ−２上の通信セッションは、低レベル制御情報を用いて制御され得る。例えば、低レベル制御情報は、第２の通信リンクＣＯＭ−ＬＩＮＫ−２上の通信セッションを初期化し、通信パラメータの更新を支援し、対応する第１のリモートトランシーバ１７０への第１のローカルトランシーバ１３０の情報の送信と、対応する第２のリモートトランシーバ１８０への第２のローカルトランシーバ１４０の情報の送信との間の選択的なスケジューリングを行うためにハイブリッド媒体コントローラ１２０によって使用され得る。
【００４６】
制御情報の共有の結果として、通信セッションの初期化時間が、削減され得る。例えば、第２の通信リンクＣＯＭ−ＬＩＮＫ−２が確立中であるとき、ハイブリッド媒体コントローラ１２０は、第１のローカルトランシーバ１３０に低レベル制御情報を提供する。低レベル制御情報が、確立済みの第１の通信リンクＣＯＭ−ＬＩＮＫ−１上で送信され得るので、第２の通信リンクＣＯＭ−ＬＩＮＫ−２を確立するときに、ハンドシェイクなどの初期化手順の一部が簡素化され得る。
【００４７】
例えば、ネットワーク１００は、ＩＴＵ  Ｔ  ｒｅｃｏｍｍｅｎｄａｔｉｏｎ  Ｇ．９９４．１（０２／２００７）、「Ｈａｎｄｓｈａｋｅ  ｐｒｏｃｅｄｕｒｅｓ  ｆｏｒ  ｄｉｇｉｔａｌ  ｓｕｂｓｃｒｉｂｅｒ  ｌｉｎｅ（ＤＳＬ）  ｔｒａｎｓｃｅｉｖｅｒｓ」で規定されたＤＳＬトランシーバのためのハンドシェイク手順を用いて実装され得る。ラインの両端のｘＤＳＬトランシーバ（例えば、第１のローカルトランシーバ１３０および第１のリモートトランシーバ１７０）は、１つまたは複数のｘＤＳＬ端末ユニットの代わりに動作モードをネゴシエーションするハンドシェイクトランシーバユニット（ＨＳＴＵ）（図示せず）を含む。特定のｘＤＳＬ動作モードに関連する必須の搬送波の組を使用する特定のシグナリング方式が、規定される。上り方向および下り方向のための必須の搬送波の組は、概して、規定された最大電力レベルを有する２−３個のトーンからなる。さらに、シンボルレートおよび搬送波周波数の許容範囲が、すぐに狭められる。第１の通信リンクＣＯＭ−ＬＩＮＫ−１が利用できない場合、通常のプロトコルが、定義されたとおりに実行される。しかし、第１の通信リンクＣＯＭ−ＬＩＮＫ−１が存在する場合、初めに交換される通信パラメータが、ずっと迅速にかつ確実に転送され得る。
【００４８】
Ｇ．９９４．１によれば、Ｇ．９９４．１で規定されている搬送波の組だけが、シグナリングに使用されることができ、搬送波の組の中のすべてのトーンは、差動符号化２値位相偏移変調（ｄｉｆｆｅｒｅｎｔｉａｌｌｙ  ｅｎｃｏｄｅｄ  ｂｉｎａｒｙ  ｐｈａｓｅ  ｓｈｉｆｔ  ｋｅｙｉｎｇ）（ＤＰＳＫ）を用いて同じデータビットで同時に変調されることが、規定される。その結果、データ転送速度は低く、例えば、相当な量のオーバヘッドを含め、搬送波の組あたり約５００−８００ビット／秒となる。交換されている情報は、機能リスト（ｃａｐａｂｉｌｉｔｉｅｓ  ｌｉｓｔ）、モード要求、モード選択、モード提案、さまざまな種類の肯定応答信号、否定応答信号、およびメッセージ要求信号を含み得る。非常に少ないトーン（すなわち、２−３個のトーン）を有する搬送波の組、ならびにシンボルレートおよび搬送波周波数の要件の使用は、特に、搬送波の組で使用されるトーンが、例えば、無線周波数干渉、漏話、またはインパルス雑音による過大な雑音によって影響を受けるとき、システムが障害を起こしやすくする。第１の通信リンクＣＯＭ−ＬＩＮＫ−１は、ずっと高い速度で、かつずっと高い信頼性で関連情報を直ちに交換することでき、複雑な確認方式を迅速化し、効果的に簡素化することもできる。
【００４９】
第１の通信リンクＣＯＭ−ＬＩＮＫ−１を介して送信された低レベル制御情報を用いて第２の通信リンクＣＯＭ−ＬＩＮＫ−２を確立することによって、ハイブリッド媒体コントローラ１２０は、第１の通信リンクＣＯＭ−ＬＩＮＫ−１または第２の通信リンクＣＯＭ−ＬＩＮＫ−２を使用して、そうでなければ通信セッションの帯域幅を消費したであろう制御情報を交換するか、または過大なレイテンシーを抑制することができる。例えば、第１の通信リンクＣＯＭ−ＬＩＮＫ−１上の第１の通信セッションが、確立され得る。第２の通信セッションが、チャネル特性／要件情報、伝送誤りの扱い、および確認応答などの第１の通信リンクＣＯＭ−ＬＩＮＫ−１に関する通信パラメータを交換または更新するために、第２の通信リンクＣＯＭ−ＬＩＮＫ−２上でハイブリッド媒体コントローラ１２０によって確立され得る。
【００５０】
さらに、低レベル制御情報を共有することは、低レベルの送信の問題および接続性の問題を軽減することができる。例えば、第１の通信リンクＣＯＭ−ＬＩＮＫ−１上の通信セッションが性能の変化に見舞われる（例えば、第１の通信リンクＣＯＭ−ＬＩＮＫ−１が切れる）とき、ハイブリッド媒体コントローラ１２０は、第２の通信リンクＣＯＭ−ＬＩＮＫ−２を使用して、通信セッションが切れ、復旧される必要があることをリモートＭＴＵ−１５０に知らせることができる。その結果、第１の通信リンクＣＯＭ−ＬＩＮＫ−１を確立するためにハイブリッド媒体コントローラ１２０によって使用される低レベル制御情報が、第１の通信リンクＣＯＭ−ＬＩＮＫ−１および通信セッションを復旧するために第２の通信リンクＣＯＭ−ＬＩＮＫ−２を介してハイブリッド媒体コントローラ１２０によって送信されることができる。さらに、状態要求が、問題を判定するために第２の通信リンクＣＯＭ−ＬＩＮＫ−２を介して送信され得る。チャネル誤りの場合、第２の通信リンクＣＯＭ−ＬＩＮＫ−２が、低下したスループットの影響を軽減し、ＡＲＱメッセージを迅速に伝達することができる。
【００５１】
また、ハイブリッド媒体コントローラ１２０は、第１の通信リンクＣＯＭ−ＬＩＮＫ−１および第２の通信リンクＣＯＭ−ＬＩＮＫ−２を使用して、より幅広いスケジューリングの選択肢および多様性を提供することによってデータ転送を改善する。例えば、ＬＭＴＵ１１０とリモートＭＴＵ１５０の間で転送されているデータ量が小さい（例えば、性能の閾値を超えている）場合、ハイブリッド媒体コントローラ１２０は、通信セッションを確立するために第１の通信リンクＣＯＭ−ＬＩＮＫ−１および第２の通信リンクＣＯＭ−ＬＩＮＫ−２のうちの１つを選択することができる。しかし、データの大きなバーストが送信されなければならない（例えば、現在の通信能力が性能の閾値を下回っている）とき、ハイブリッド媒体コントローラ１２０は、第１の通信リンクＣＯＭ−ＬＩＮＫ−１および第２の通信リンクＣＯＭ−ＬＩＮＫ−２のうちの選択されていない通信リンク上で第２の通信セッションを確立することができる。さらに、ハイブリッド媒体コントローラ１２０は、転送されている情報の種類のレイテンシーの要件およびサービス品質に基づいて、第１の通信リンクＣＯＭ−ＬＩＮＫ−１および第２の通信リンクＣＯＭ−ＬＩＮＫ−２上で通信セッションを確立することができる。したがって、ハイブリッド媒体コントローラ１２０は、低レベル制御情報を用いて第１の通信リンクＣＯＭ−ＬＩＮＫ−１および第２の通信リンクＣＯＭ−ＬＩＮＫ−２上で通信セッションを確立することによって帯域幅および／またはレイテンシーの要件を管理する。
【００５２】
ハイブリッド媒体コントローラ１２０は、第１の通信リンクＣＯＭ−ＬＩＮＫ−１および第２の通信リンクＣＯＭ−ＬＩＮＫ−２上の情報の送信を選択的にスケジューリングする。ハイブリッド媒体コントローラ１２０は、第１の通信リンクＣＯＭ−ＬＩＮＫ−１および第２の通信リンクＣＯＭ−ＬＩＮＫ−２上にアクティブな通信セッションがない段階と、第１の通信リンクＣＯＭ−ＬＩＮＫ−１および第２の通信リンクＣＯＭ−ＬＩＮＫ−２のうちの一方の通信リンク上の通信セッションがアクティブである段階と、第１の通信リンクＣＯＭ−ＬＩＮＫ−１および第２の通信リンクＣＯＭ−ＬＩＮＫ−２の両方の通信リンク上の両方の通信セッションがアクティブである段階を含む複数の段階のうちの１つにある可能性がある。ハイブリッド媒体コントローラ１２０は、アクティブなトランシーバ（例えば、第１のローカルトランシーバ１３０および第２のローカルトランシーバ１４０のうちの１つ）がスリープモードである（例えば、情報が送信されないか、または情報がほとんど送信されない）ことができ、そのアクティブなトランシーバを初期化することなしに、作動されたときに情報を迅速に転送できるように、第１のローカルトランシーバ１３０および第２のローカルトランシーバ１４０を制御することができる。
【００５３】
例えば、第１のローカルトランシーバ１３０と第２のローカルトランシーバ１４０の両方が非アクティブである、および／またはスイッチを切られている場合、ハイブリッド媒体コントローラ１２０は、リモートＭＴＵ１５０との通信リンクを確立するために第１のローカルトランシーバ１３０と第２のローカルトランシーバ１４０のどちらを作動させるべきかを選択することができる。第２のローカルトランシーバ１４０が選択され、第２の通信リンクＣＯＭ−ＬＩＮＫ−２上の通信セッションのトラフィックが多い（例えば、通信能力が性能の閾値を下回っている）場合、ハイブリッド媒体コントローラ１２０は、第１のローカルトランシーバ１３０を作動させることができる。低レベル制御情報が、第１の通信リンクＣＯＭ−ＬＩＮＫ−１を確立するために第２の通信リンクＣＯＭ−ＬＩＮＫ−２を介して送信されることができる。第１の通信リンクＣＯＭ−ＬＩＮＫ−１が初期化されると、第２の通信セッションが確立され得る。第１の通信リンクＣＯＭ−ＬＩＮＫ−１および第２の通信リンクＣＯＭ−ＬＩＮＫ−２上の通信セッションで転送されているトラフィックが少ない（例えば、通信能力が性能の閾値を超えている）場合、ハイブリッド媒体コントローラ１２０は、通信セッションのうちの１つを終了し、第１の通信リンクＣＯＭ−ＬＩＮＫ−１および第２の通信リンクＣＯＭ−ＬＩＮＫ−２のうちの１つをスリープモードにすることを決定する可能性がある。
【００５４】
（データリンク層ＬＩＮＫ−１またはＬＩＮＫ−２の一部としての）ＭＡＣデータが、低レベル制御情報で提供され得る。ＭＡＣデータを取得することによって、ハイブリッド媒体コントローラ１２０は、到着するデータの遅延、要求されるレイテンシー、およびサービス品質などの詳細なリアルタイムの使用統計を知る。ハイブリッド媒体コントローラ１２０は、１組の性能の閾値および異なるコスト関数を使用して（１つまたは複数の）適切なチャネルを選択し、品質および低遅延を保証するために第１の通信リンクＣＯＭ−ＬＩＮＫ−１および第２の通信リンクＣＯＭ−ＬＩＮＫ−２にまたがって一部のデータを二重化することができる。詳細なリアルタイムの使用統計に基づいて、ハイブリッド媒体コントローラ１２０は、第１のおよび／または第２の通信リンクＣＯＭ−ＬＩＮＫ−１およびＣＯＭ−ＬＩＮＫ−２がスリープ／スタンバイモードにされるべきか、それともアクティブモードにされるべきかを決定する。
【００５５】
図３は、ＬＭＴＵを含むハイブリッド２重媒体ネットワークの例示的な実施形態を示す。図示されるように、ハイブリッド２重媒体ネットワーク３００は、無線通信リンクＣＯＭ−ＬＩＮＫ−１Ａおよび固定媒体通信リンクＣＯＭ−ＬＩＮＫ−２Ａを介して少なくとも１つのリモートＭＴＵ３５０に接続され得るＬＭＴＵ３１０を含む。ハイブリッド２重媒体ネットワーク３００は、超高速ＤＳＬ（ｖｅｒｙ  ｈｉｇｈ  ｓｐｅｅｄ  ＤＳＬ）（ＶＤＳＬ）などのＤＳＬに基づくネットワークである可能性がある。しかし、ハイブリッド２重媒体ネットワーク３００は、その他のアクセス技術に基づく可能性がある。
【００５６】
ＬＭＴＵ３１０は、デジタル加入者線アクセス多重化装置（ｄｉｇｉｔａｌ  ｓｕｂｓｃｒｉｂｅｒ  ｌｉｎｅ  ａｃｃｅｓｓ  ｍｕｌｔｉｐｌｅｘｅｒ）（ＤＳＬＡＭ）を含み得る。当業者は、ＬＭＴＵ３１０が、その他の通信リンクを介して２つ以上のリモートＭＴＵ３５０に接続され得ることを理解するであろう。
【００５７】
ＬＭＴＵ３１０は、第１のローカルトランシーバ３３０と第２のローカルトランシーバ３４０の間に結合されたハイブリッド媒体コントローラ３２０を含む。第１のローカルトランシーバ３３０および第２のローカルトランシーバ３４０は、それぞれ、無線インターフェース３３２および固定アクセス物理インターフェース３４２を含む。第１のローカルトランシーバ３３０および第２にローカルトランシーバ３４０は、それぞれ、第１のローカルコントローラ３３５および第２のローカルコントローラ３４５も含む。第１のローカルコントローラ３３５および第２のローカルコントローラ３４５は、それぞれ、無線インターフェース３３２および固定アクセス物理インターフェース３４２の内部のレジスタおよびメモリ領域に対する読み出しおよび制御されたアクセスを提供する。
【００５８】
リモートＭＴＵ３５０は、第１のリモートトランシーバ３７０と第２のリモートトランシーバ３８０の間に結合されたハイブリッド媒体コントローラ３６０を含む。第１のリモートトランシーバ３７０および第２のリモートトランシーバ３８０は、それぞれ、無線インターフェース３７２および固定アクセス物理インターフェース３８２を含む。第１のリモートトランシーバ３７０および第２にリモートトランシーバ３８０は、それぞれ、第１のリモートコントローラ３７５および第２のリモートコントローラ３８５も含む。第１のリモートコントローラ３７５および第２のリモートコントローラ３８５は、それぞれ、無線インターフェース３７２および固定アクセス物理インターフェース３８２の内部のレジスタおよびメモリ領域に対する読み出しおよび制御されたアクセスを提供する。
【００５９】
ハイブリッド媒体コントローラ３２０および３６０は、それぞれ、第１のおよび第２のローカルコントローラ３３５、３４５ならびに第１のおよび第２のローカルコントローラ３７５、３８５を介して、上述のハイブリッド媒体コントローラ１２０の機能を実行するように構成される。したがって、簡潔かつ明瞭にするために、ハイブリッド媒体コントローラ３２０および３６０の追加的な特徴のみが、説明される。さらに、ローカルおよびリモートトランシーバ３３０、３４０、３７０、および３８０は、上述のローカルトランシーバ１３０および１４０の機能を実行するように構成される。したがって、簡潔かつ明瞭にするために、ローカルおよびリモートトランシーバ３３０、３４０、３７０、および３８０の追加的な特徴のみが、説明される。
【００６０】
図３に示されるように、データは、ハイブリッド媒体コントローラ３２０および３６０へ／から入力および出力されるが、データは、トランシーバ３３０、３４０、３７０および３８０へ／から直接入力および出力され得ることを理解されたい。
【００６１】
第１のローカルトランシーバ３３０および第１のリモートトランシーバ３７０は、無線通信リンクＣＯＭ−ＬＩＮＫ−１Ａを介して通信するように構成される。第２のローカルトランシーバ３４０および第２のリモートトランシーバ３８０は、銅線、同軸ケーブル、または光ファイバなどの固定媒体による固定媒体通信リンクＣＯＭ−ＬＩＮＫ−２Ａを介して通信するように構成される。
【００６２】
図３に示されるように、インターフェース３３２、３４２、３７２、および３８２のそれぞれは、物理層ＰＨＹ−１Ｌ、ＰＨＹ−２Ｌ、ＰＨＹ−１Ｒ、およびＰＨＹ−２Ｒ、リンク層ＬＩＮＫ−１Ｌ、ＬＩＮＫ−２Ｌ、ＬＩＮＫ−１Ｒ、およびＬＩＮＫ−２Ｒ、ならびにネットワーク層ＮＥＴＷＯＲＫ−１Ｌ、ＮＥＴＷＯＲＫ−２Ｌ、ＮＥＴＷＯＲＫ−１Ｒ、およびＮＥＴＷＯＲＫ−２Ｒを含む。各データリンク層ＬＩＮＫ−１Ｌ、ＬＩＮＫ−１Ｒ、ＬＩＮＫ−２Ｌ、およびＬＩＮＫ−２Ｒは、媒体アクセス制御（ＭＡＣ）副層を含む。当業者は、インターフェース３３２、３４２、３７２、および３８２が、開放型システム間相互接続参照（ＯＳＩ）モデルのさらなる層などの追加的な層を含み得ることを理解するに違いない。
【００６３】
各物理層ＰＨＹ−１Ｌ、ＰＨＹ−２Ｌ、ＰＨＹ−１Ｒ、およびＰＨＹ−２Ｒは、リンクを介した通信を提供する。例えば、無線インターフェース３３２および３７２の物理層ＰＨＹ−１ＬおよびＰＨＹ−１Ｒは、ＬＭＴＵ３１０およびリモートＭＴＵ３５０が無線通信リンクＣＯＭ−ＬＩＮＫ−１Ａを介して通信することを可能にする。各リンク層ＬＩＮＫ−１Ｌ、ＬＩＮＫ−２Ｌ、ＬＩＮＫ−１Ｒ、およびＬＩＮＫ−２Ｒは、データを転送するための機能的および手続き的手段を提供する。各ネットワーク層ＮＥＴＷＯＲＫ−１Ｌ、ＮＥＴＷＯＲＫ−２Ｌ、ＮＥＴＷＯＲＫ−１Ｒ、およびＮＥＴＷＯＲＫ−２Ｒは、送信元から送信先にデータシーケンスを転送するタスクを与えられる。例えば、インターネットプロトコル（ＩＰ）が、ネットワーク層で働くことができる。
【００６４】
ハイブリッド２重媒体ネットワーク３００内のハイブリッド媒体コントローラ３２０と３６０の間の通信セッションが、無線通信リンクＣＯＭ−ＬＩＮＫ−１Ａおよび固定媒体通信リンクＣＯＭ−ＬＩＮＫ−２Ａ上で確立され得る。例えば、通信セッションは、ハイブリッド媒体コントローラ３２０および３６０を用いて、第２のローカルトランシーバ３４０と第２のリモートトランシーバ３８０の間で、および第１のローカルトランシーバ３３０と第１のリモートトランシーバ３７０の間で確立され得る。
【００６５】
各物理層ＰＨＹ−１Ｌ、ＰＨＹ−２Ｌ、ＰＨＹ−１Ｒ、およびＰＨＹ−２Ｒに含まれる物理媒体依存（ｐｈｙｓｉｃａｌ  ｍｅｄｉａ  ｄｅｐｅｎｄｅｎｔ）（ＰＭＤ）副層が、シンボルタイミングの生成および回復、符号化および復号、ならびに変調および復調を担う。ＰＭＤは、エコーキャンセルおよびラインの等化も含み得る。
【００６６】
物理層ＰＨＹ−１Ｌ、ＰＨＹ−２Ｌ、ＰＨＹ−１Ｒ、およびＰＨＹ−２Ｒ内のそのすぐ上の副層は、フレーム化およびフレーム同期機能、ならびに前方誤り訂正、誤り検出、インターリーブおよびデインターリーブ、スクランブルおよびデスクランブル機能を提供する物理媒体固有伝送コンバージェンス（ｐｈｙｓｉｃａｌ  ｍｅｄｉａ  ｓｐｅｃｉｆｉｃ  ｔｒａｎｓｍｉｓｓｉｏｎ  ｃｏｎｖｅｒｇｅｎｃｅ）（ＰＭＳ−ＴＣ）副層である。ＰＭＳ−ＴＣは、制御情報を交換するためのオーバヘッドチャネルも提供する。
【００６７】
例として、ツイストペア銅線を介して通信するデジタル加入者線システム用のＰＭＤおよびＰＭＳ−ＴＣが、「Ｖｅｒｙ  ｈｉｇｈ  ｓｐｅｅｄ  ｄｉｇｉｔａｌ  ｓｕｂｓｃｒｉｂｅｒ  ｌｉｎｅ  ｔｒａｎｓｃｅｉｖｅｒｓ  ２（ＶＤＳＬ２）」、Ｓｅｒｉｅｓ  Ｇ：Ｔｒａｎｓｍｉｓｓｉｏｎ  Ｓｙｓｔｅｍｓ  ａｎｄ  Ｍｅｄｉａ，Ｄｉｇｉｔａｌ  Ｓｙｓｔｅｍｓ  ａｎｄ  Ｎｅｔｗｏｒｋｓ、ＩＴＵ  Ｇ．９９３．２、２００６年２月で定義されている。その他の固定アクセスシステムは、同様のＰＭＤおよびＰＭＳ−ＴＣ構造を有する。したがって、明瞭かつ簡潔にするために、ＰＭＤおよびＰＭＳ−ＴＣは、さらに詳細に説明されない。
【００６８】
初期化手順は、ハイブリッド媒体コントローラ３２０と３６０の間のハンドシェイク手順と、それに続くチャネル発見フェーズと、トレーニングフェーズと、チャネル分析および交換フェーズとを含む。例えば、ハイブリッド媒体コントローラ３２０は、第２のローカルトランシーバ３４０に、第２のリモートトランシーバ３８０との固定媒体通信リンクＣＯＭ−ＬＩＮＫ−２Ａを確立するように指示することができる。このプロセスの間、低レベル制御情報が交換される。
【００６９】
無線通信リンクＣＯＭ−ＬＩＮＫ−１Ａが利用できることは、固定媒体通信リンクＣＯＭ−ＬＩＮＫ−２Ａを確立するときに、ハイブリッド媒体コントローラ３２０と３６０の間の初期化手順を短縮する。例えば、固定媒体通信リンクＣＯＭ−ＬＩＮＫ−２Ａが孤立したリンクであるならば、ハイブリッド媒体コントローラ３２０は、固定媒体通信リンクＣＯＭ−ＬＩＮＫ−２Ａがまだ確立中である間、固定媒体通信リンクＣＯＭ−ＬＩＮＫ−２Ａを介して第２のローカルトランシーバ３４０と第２のリモートトランシーバ３８０の間で初期化データを伝達する。通常極めてロバストで低速な技術が、これを伝達するために使用される。しかし、無線通信ＣＯＭ−ＬＩＮＫ−１Ａが利用できる可能性があるので、第２のローカルトランシーバ３４０と第２のリモートトランシーバ３８０の間の初期化データは、固定アクセス通信リンクＣＯＭ−ＬＩＮＫ−２Ａが確立中である間に確立されている無線通信リンクＣＯＭ−ＬＩＮＫ−１Ａを介して交換され得る。
【００７０】
さらに、無線通信リンクＣＯＭ−ＬＩＮＫ−１Ａは、同期を目的とし、トレーニング測定値およびパラメータを交換するための信頼できるバックチャネルとして働くことができる。例えば、ハイブリッド媒体コントローラ３２０および３６０が固定アクセス通信リンクＣＯＭ−ＬＩＮＫ−２Ａ（または無線通信リンクＣＯＭ−ＬＩＮＫ−１Ａ）上の通信セッションで情報を交換しているとき、無線通信リンクＣＯＭ−ＬＩＮＫ−１Ａ（または固定アクセス通信リンクＣＯＭ−ＬＩＮＫ−２Ａ）用の開始プロトコルは、低レベル制御情報がハイブリッド媒体コントローラ３２０および３６０で利用可能なので短縮され得る。無線フィードバックが、アクティブなラインの間の漏話を測定し、測定値を漏話推定モジュールに転送するためのチャネル捕捉手順を高速化するためにハイブリッド２重媒体ネットワーク３００で使用され得る。
【００７１】
ハイブリッド媒体コントローラ３６０、第１のリモートトランシーバ３７０、および第２のリモートトランシーバ３８０は、ハイブリッド媒体コントローラ３２０、第１のローカルトランシーバ３３０、および第２のローカルトランシーバ３４０と同様にして動作する。したがって、簡潔かつ明瞭にするために、ハイブリッド媒体コントローラ３６０、第１のリモートトランシーバ３７０、および第２のリモートトランシーバ３８０は、さらに詳細に説明されない。
【００７２】
ハイブリッド媒体コントローラ３２０は、第１のローカルトランシーバ３３０および第２のローカルトランシーバ３４０の外に示されているが、ハイブリッド媒体コントローラ３２０は、第１のローカルトランシーバ３３０および第２のローカルトランシーバ３４０のうちの少なくとも１つに実装され得ることを理解されたい。さらに、ハイブリッド媒体コントローラ３６０は、第１のリモートトランシーバ３７０および第２のリモートトランシーバ３８０の外に示されているが、ハイブリッド媒体コントローラ３６０は、第１のリモートトランシーバ３７０および第２のリモートトランシーバ３８０のうちの少なくとも１つに実装され得ることを理解されたい。
【００７３】
例えば、ハイブリッド媒体コントローラ３２０は、第２のローカルトランシーバ３４０の第２のローカルコントローラ３４５に実装され得る。第１の通信リンクＣＯＭ−ＬＩＮＫ−１Ａが確立されている場合、第２の通信リンクＣＯＭ−ＬＩＮＫ−２Ａを介した送信を対象とするメッセージが、固定アクセス物理インターフェース３４２から、第２のローカルコントローラ３４５を通り、第１のローカルトランシーバ３３０を通り、第１の通信リンクＣＯＭ−ＬＩＮＫ−１Ａを介して第１のリモートトランシーバ３７０にルーティングされ得る。この例において、ハイブリッド媒体コントローラ３６０は、固定アクセス物理インターフェース３８２の内部のレジスタへのアクセスを可能にするために第２のリモートコントローラ３８５に実装される。したがって、第２のリモートコントローラ３８５は、固定アクセス物理インターフェース３８２のプロトコルスタックから情報を取り出し、固定アクセス物理インターフェース３８２のプロトコルスタックに情報を入れることができる。したがって、この例において、第１のローカルトランシーバ３３０および第１のリモートトランシーバ３７０は、標準的なトランシーバとして実装され、それらのトランシーバのそれぞれのローカルコントローラ３３５および３７５を含まない可能性がある。
【００７４】
ハイブリッド媒体コントローラ３２０が第１のローカルコントローラ３３５と第２のローカルコントローラ３４５の両方に実装される例においては、第１のローカルコントローラ３３５および第２のローカルコントローラ３４５は、マスター−スレーブ構成で動作する可能性がある。ハイブリッド媒体コントローラ３６０が第１のリモートコントローラ３７５と第２のリモートコントローラ３８５の両方に実装される例においては、第１のリモートコントローラ３７５および第２のリモートコントローラ３８５は、マスター−スレーブ構成で動作する可能性がある。
【００７５】
図４−８は、例示的な実施形態による、ローカルトランシーバの組を動作させる方法を示す。図４−８の方法は、ハイブリッド媒体コントローラ１２０、１６０、３２０、および３６０のうちの１つなどのハイブリッド媒体コントローラを含むＬＭＴＵによって実装され得る。図４はＬＭＴＵの観点で実装されているが、同じ方法が、図１−３を参照して上で説明されたリモート端末のうちの任意の１つと同じである可能性があるリモート端末によって実行され得ることを理解されたい。したがって、図４−８を参照して以下で説明されるハイブリッド媒体コントローラは、少なくとも、ハイブリッド媒体コントローラ１２０、１６０、３２０、および３６０の機能を有すると理解されるべきである。図４は、例示的な実施形態による、ローカルトランシーバの組を動作させる方法４００を示す。ステップ４１０において、ハイブリッド媒体コントローラが、それぞれの第１のプロトコルおよび第２のプロトコルを使用する並列な第１の物理層リンクおよび第２の物理層リンクを介してローカルトランシーバの組から情報（制御とデータの両方）を送信する。ステップ４２０において、ハイブリッド媒体コントローラが、ローカルトランシーバの組において、リモート端末からの受信情報を処理する。ステップ４１０およびステップ４２０において実行されるオペレーションの例示的な例が、図５−８を参照して以下でより詳細に検討される。
【００７６】
図５Ａは、図４に示されたステップ４１０の例示的な実施形態を示す。より具体的には、図５Ａは、第１のローカルトランシーバの内部の送信要求に応じてローカルトランシーバの組を動作させる方法５００を示す。送信要求は、送信情報、例えば、内部的な制御情報、ユーザデータ、またはローカルもしくはリモートハイブリッド媒体コントローラによって要求される情報に関連する可能性がある。ステップ５０５において、ハイブリッド媒体コントローラが、第１のローカルトランシーバが第１のリモートトランシーバに送信されるべき情報を持っているかどうかを判定する。持っている場合、方法は、情報の送信の要件が調べられ、最も好適な通信リンクが、利用可能なチャネルに関する利用可能な性能インジケータに基づいて選択されるステップ５１５に進む。
【００７７】
性能インジケータは、データによって変わる、および／またはチャネルの状態に基づく可能性がある。ハイブリッド媒体コントローラに接続されたローカルトランシーバおよび第２のローカルトランシーバのローカルコントローラ（例えば、第１のローカルコントローラ３３５および第２のローカルコントローラ３４５）は、通常のデータチャネルと制御チャネルの両方に対するアクセスを提供することができる。これらのチャネルのそれぞれは、異なるロバスト性、データ転送速度、信頼性（例えば、ビット誤り率）、および／またはレイテンシーなどの異なるリンク性能インジケータを有する可能性がある。
【００７８】
第１の通信リンク上のチャネルを介した通信が行われなければならない場合、方法は、ステップ５２０に進み、第１のローカルトランシーバを使用して情報を送信する。第２の通信リンクが使用される場合、方法は、ハイブリッド媒体コントローラが、パケットに情報を埋め込み、例えば、情報の送信元、情報の種類、優先レベル、および必要な保護を識別するためのラベルを追加する可能性があるステップ５３０に進む。次に、方法は、第２のローカルトランシーバを使用して、適切な優先レベルおよび保護を用いて情報を含むパケットを送信することによるステップ５４０に進む。
【００７９】
図５Ｂは、図４に示されたステップ４２０の例示的な実施形態を示す。より具体的には、図５Ｂは、例示的な実施形態による、リモート端末から情報を受信することに応じてローカルトランシーバの組を動作させる方法５５０を示す。ステップ５５５において、ローカルトランシーバの組のうちの受信するトランシーバが、リモート端末から何らかの到着する情報があるかどうかを判定する。到着するデータがある場合、方法は、受信された情報が送信先を決定するために調べられるステップ５６５に進む。調査は、情報の種類を判定することも含み得る。情報がローカルの受信するトランシーバを対象とする場合、方法は、ステップ５７０に進み、情報が、そのローカルの受信するトランシーバで処理される。情報がローカルの受信するトランシーバを対象としない場合、方法は、ステップ５８０に進み、情報が、ハイブリッド媒体コントローラを介して対象のローカルトランシーバに転送される。ステップ５９０において、情報が、対象のローカルトランシーバで処理される。
【００８０】
図６は、図４に示されたステップ４１０の例示的な実施形態を示す。より具体的には、図６は、例示的な実施形態による、送信要求に応じてトランシーバの組を動作させる方法６００を示す。ステップ６１０において、ローカルトランシーバの組が、利用可能なチャネルの性能インジケータと、ローカルトランシーバの組のうちの少なくとも一方が処理しているトラフィックの量とを監視する。利用可能なチャネルは、制御チャネルとデータチャネルの両方を含む。
【００８１】
上述のように、性能インジケータは、データによって変わる、および／またはチャネルの状態に基づく可能性がある。ハイブリッド媒体コントローラに接続されたローカルトランシーバおよび第２のローカルトランシーバのローカルコントローラ（例えば、第１のローカルコントローラ３３５および第２のローカルコントローラ３４５）は、通常のデータチャネルと制御チャネルの両方に対するアクセスを提供することができる。これらのチャネルのそれぞれは、異なるロバスト性、データ転送速度、信頼性（例えば、ビット誤り率）、および／またはレイテンシーなどの異なるリンク性能インジケータを有する可能性がある。
【００８２】
ハイブリッド媒体コントローラは、ローカルトランシーバの内部の状態と、ハイブリッド媒体コントローラを用いる内部の性能測定とを監視する。非アクティブなチャネルに関して、ハイブリッド媒体コントローラは、トランシーバの性能特性および履歴的なチャネル特性のデータベースを保持することができる。データベースは、所与の送信要求に応じてトランシーバを作動させるか否かを決定する際に役立つ。ＬＭＴＵは、チャネルの可用性およびチャネル特性を判定するために周期的にチャネルを探索することもできる。
【００８３】
ステップ６２０において、ローカルトランシーバの組が、リモート端末への通信のための送信要求を調べる。そのような送信要求がなされる場合、ハイブリッド媒体コントローラは、送信要求に関する１組の性能の閾値に基づいて（１つまたは複数の）チャネルを選択することによるステップ６３０に進む。
【００８４】
１組の性能の閾値は、性能インジケータに基づく。性能インジケータは、対応する１組の性能の閾値のうちのいずれかが満たされていないかどうか、および（予測される）性能が閾値を超えている／下回っているかどうかを判定するために使用され得る。例えば、レイテンシー、信頼性、高速な誤り回復、およびそれらの性能インジケータの任意の組み合わせが、使用され得る。例えば、性能が性能の閾値を下回っている（例えば、トラフィックの需要が高い）場合、第１の通信リンクと第２の通信リンクの両方のチャネルが、ハイブリッド媒体コントローラによって選択され得る。別の例において、性能が性能の閾値を超えている（例えば、トラフィックの需要が低い）場合、第１の通信リンクおよび第２の通信リンクのうちの一方のチャネルが、選択され得る。
【００８５】
送信要求は、例えば、到着するユーザデータによって引き起こされる外部的な送信要求であるか、あるいは、例えば、リモート端末に情報を伝達する（制御する）ため、または肯定応答のタイムアウトの後に、もしくはリモート端末が要求したときに情報を再送信するための内部的な要求によって引き起こされる内部的な送信要求である可能性がある。送信要求によって促されると、ハイブリッド媒体コントローラは、利用可能であるならばより多くのリソースを割り当てることによって現在アクティブなチャネルを増強すること、またはリンクを作動させることを決定することができる。
【００８６】
ステップ６４０において、ハイブリッド媒体コントローラが、少なくとも１つの性能インジケータに基づいて必要に応じて、チャネルの性能を高めるべきかどうか、チャネルの能力を高めるべきかどうか、および／または（１つもしくは複数の）チャネルを作動させるべきかどうかを評価し、その後、ハイブリッド媒体コントローラは、ステップ６１０に戻る。これは、さまざまな新しい送信要求および繰り返しを伴う可能性がある。
【００８７】
必要に応じて、チャネルの能力を高めるべきかどうか、および／または（１つもしくは複数の）チャネルを作動させるべきかどうかを評価する際に予測コンポーネントが存在し得る。例えば、ハイブリッド媒体コントローラは、使用中のアプリケーション（例えば、ユーザが高精細度チャネルを見ていること）を知ることができ、次に、使用中のアプリケーションを使用中の１組の性能の閾値とコスト判定とに反映することができる。したがって、ユーザが素早いチャネルの変更を実行しようと決めるとき、ハイブリッド媒体コントローラは、古いストリームを含むバッファが役に立たなくなり、初めは（圧縮された）データから新しいストリームを生成するのに十分なデータがバッファにないことが多いので、（以下で説明されるように、第２の通信リンクを確立するかまたは拡張することによって）ほとんど瞬時に帯域幅を増やす可能性がある。
【００８８】
送信要求がない場合、ハイブリッド媒体コントローラは、ステップ６２０からステップ６５０に進み、少なくとも１つの性能インジケータに基づいて必要に応じて、現在の性能を維持するべきか、チャネルの能力を下げるべきか、および／または（１つもしくは複数の）チャネルを停止するべきかを評価し、その後、ハイブリッド媒体コントローラは、ステップ６１０に戻る。例えば、送信要求がない場合、ハイブリッド媒体コントローラは、（１つまたは複数の）アクティブなチャネルを停止することを決定する可能性がある。
【００８９】
図７は、図４に示されたステップ４１０の例示的な実施形態を示す。より具体的には、図７は、例示的な実施形態による、チャネルの性能の変化に応じてローカルトランシーバの組を動作させる方法７００を示す。ステップ７１０において、ローカルトランシーバの組が、利用可能な制御チャネルおよびデータチャネルの性能インジケータと、ローカルトランシーバの組が処理しているトラフィックの量とを監視する。性能インジケータは、図５Ａおよび６を参照して上で説明された。したがって、明瞭かつ簡潔にするために、性能インジケータの説明は、ここでは行わない。
【００９０】
ステップ７２０において、ローカルトランシーバの組が、性能インジケータ（例えば、バースト誤り、フェージング、干渉、および／またはインパルス雑音によるチャネル品質、スループット、および／またはレイテンシー）のうちの１つまたは複数の（突然の）変化を調べる。ハイブリッド媒体コントローラは、少なくとも、多数の送信誤りがあるかどうか、または信号が全くないかどうかを調べることができる。アクティブなチャネルが切れている場合、ハイブリッド媒体コントローラは、切れていないチャネルを介してリモート端末に制御情報（例えば、低レベル制御情報）を伝達する。
【００９１】
そのような変化が起こる場合、ハイブリッド媒体コントローラは、影響を受けるチャネルのトランシーバの状態を判定するために、（１つまたは複数の）利用可能なチャネルを介して状態情報を要求することによるステップ７３０に進む。例えば、第１の通信リンクが切れる場合、ハイブリッド媒体コントローラは、第２の通信リンクを使用して、第１のローカルトランシーバおよび第１のリモートトランシーバならびに影響を受けるチャネルの状態を判定することができる。
【００９２】
次に、方法は、利用可能なチャネルを使用して、必要に応じて、影響を受けるチャネルの修復を支援するか、または影響を受けるチャネルの性能の変化の影響を軽減するか、および／もしくは（１つもしくは複数の）チャネルを作動（停止）することによるステップ７４０に進む。そして、方法は、性能情報と、ローカルトランシーバの組が処理しているトラフィックの量とを監視するステップ７１０に進む。
【００９３】
チャネルの変化が観測されない場合、方法は、ステップ７２０からステップ７５０に進み、ステップ７５０において、ハイブリッド媒体コントローラが、必要に応じて、現在の（および予測される）トラフィックの量に関する現在の性能を維持するべきかどうか、性能を調整するべきかどうか、ならびに／またはチャネルを作動もしくは停止するべきかどうかを評価し、その後、方法は、ステップ７１０に戻る。
【００９４】
図８は、図４の例示的な実施形態による、ローカルトランシーバの組の中のトランシーバを作動および停止する方法８００を示す。
【００９５】
ステップ８１０において、ハイブリッド媒体コントローラが、第１の物理層通信プロトコルを用いる、リモート端末との第１の通信リンクを（再）確立するために第１のトランシーバを選択する。低レベル制御情報が、第１の通信リンクを確立し、通信セッションを初期化するためにリモート端末に伝達される。
【００９６】
第１の通信リンクを確立するために、ハイブリッド媒体コントローラは、例えば、（１つまたは複数の）アプリケーションおよびデータストリームの特性に基づいて、どの利用可能なリンクが現在の（および（近い）将来の）要求を最もよくサポートするかを評価することができる。一例において、セキュリティ監視システムがハイブリッド媒体コントローラに「ハートビート」を送信するか、またはスマートメーターがハイブリッド媒体コントローラに「状態情報」要求を送信する。ハイブリッド媒体コントローラは、どのリンクおよび関連するローカルトランシーバがそのような軽いバースト的なトラフィックを処理できるかを決定し、決定されたローカルトランシーバを使用した後、決定されたローカルトランシーバをスタンバイ／スリープモードにする。
【００９７】
しかし、稼働中にソフトウェア更新が開始されるか、またはＬＭＴＵが多くのデータを送信もしくは受信する場合、第２の通信リンクが、以下でより詳細に説明されるように使用され得る。さらに、リンクに関する突然の問題が、別のリンク（例えば、第２の通信リンク）によってより早く解決されることができ、すぐに「データ量」トリガーにならない。例えば、ＶＤＳＬ２においては、インパルス雑音保護が、ローカルトランシーバにそれらの内部のインターリーバの全体の長さが原因である多大な遅延を持たせる可能性がある。低レイテンシーを要求する一部のデータに関して、遅延が、その他の通信リンクの使用を引き起こす可能性がある。唯一の用途が、夜間のいずれかの時点でいかなるレイテンシーまたはスループットの制約もなく「長時間の高精細度ビデオをダウンロードすること」である場合、ハイブリッド媒体コントローラは、「最も低価格のリンク」もしくは「最も使用されていないリンク（ｇｒｅｅｎｅｓｔ  ｌｉｎｋ）」を選択するか、または性能インジケータ（例えば、レイテンシーおよびスループットの制約）の重みづけされた組み合わせを使用してどの（１つまたは複数の）リンクを作動させるべきかを決定することができる。
【００９８】
図８に示された方法においては、第１の通信リンクが最初に選択される。しかし、図８は、そのように限定されるべきでなく、ハイブリッド媒体コントローラは、最初に２つの通信リンクを選択する可能性があることを理解されたい。あるいは、第２の通信リンクが最初に選択され得る。
【００９９】
第２の通信リンクが選択される場合、第２の通信リンクが、図８に示された第１の通信リンクとなる。以下の説明に基づいて、当業者は、第１の通信リンクおよび第２の通信リンクの機能が入れ替えられるので、第２の通信リンクが選択される場合にどのように方法が実装されるかを理解するであろう。
【０１００】
通信セッションが第１の通信リンク上で確立されると、情報が、ローカルトランシーバとリモート端末の間で転送される。
【０１０１】
ステップ８１５において、ハイブリッド媒体コントローラが、ハイブリッド媒体コントローラが第１の通信リンクを単独で使用するときよりも低いコストで第１の通信リンクを（再）確立するのを支援するために第２の通信リンクが利用可能であるかどうかを評価する。ハイブリッド媒体コントローラは、例えば、１組の性能の閾値と、性能インジケータに基づくさまざまなコスト関数とを使用してスケジューリングオペレーションを実行する。ハイブリッド媒体コントローラに接続されたローカルトランシーバおよび第２のローカルトランシーバのローカルコントローラ（例えば、第１のローカルコントローラ３３５および第２のローカルコントローラ３４５）は、通常のデータチャネルと制御チャネルの両方に対するアクセスを提供することができる。性能インジケータは、図５Ａおよび６を参照して説明されており、したがって、明瞭かつ簡潔にするためにさらに詳細に説明されない。
【０１０２】
少なくとも１つのコスト関数に基づいて、ハイブリッド媒体コントローラは、第２の通信リンクを使用して第１の通信リンクの（再）確立を支援するべきかどうかを決定することができる。
【０１０３】
第２の通信リンクがより低いコストで利用できる場合、方法は、第２の通信リンクが、第１の通信リンクの（再）確立を支援するために第１のローカルトランシーバと第１のリモートトランシーバの間で情報（例えば、低レベル制御情報）を交換するために使用されるステップ８３０に進む。ハイブリッド媒体コントローラは、パケットに情報を埋め込み、例えば、情報の送信元、情報の種類、優先レベル、および必要な保護を識別するためのラベルを追加し、第２の通信リンクを介してリモート端末に転送するために第２のローカルトランシーバにその情報を転送することができる。例えば、第１の通信リンクに関する低レベル制御情報が、第２の通信リンクを介して送信され、第１の通信リンク上の通信セッションの通信パラメータの更新を支援し、第１のローカルトランシーバと第２のローカルトランシーバの間でデータ送信を選択的にスケジューリングするためにハイブリッド媒体コントローラによって使用され得る。
【０１０４】
第２の通信リンクを使用するコストがより高い場合、次に、第１のローカルトランシーバおよび第１のリモートトランシーバが、ステップ８２０において、第２のローカルトランシーバおよび第２のリモートトランシーバからの支援なしに第１の通信リンクを（再）確立する。第１のトランシーバが第１の通信リンクを（再）確立し、第１の通信リンクを介して通信するために使用された後、ハイブリッド媒体コントローラは、ステップ８４５において、第１の通信リンクが性能を維持するために使用されるべきかどうかを判定する。ステップ８４５は、以下でより詳細に説明される。
【０１０５】
ステップ８３０および８４５の後、ハイブリッド媒体コントローラは、ステップ８３５において、性能インジケータに基づいて第２の通信リンクが第１の通信リンクの動作を支援するために利用できるかどうか、および性能インジケータが性能の閾値を超えるかどうかを判定する。ハイブリッド媒体コントローラは、周期的に更新され得るさまざまな性能インジケータに基づいて第１の通信リンク上の通信性能を監視する。
【０１０６】
第１のローカルトランシーバおよび第２のローカルトランシーバを使用して第１の通信リンクおよび第２の通信リンクを介して通信するコストがより低い（例えば、現在の通信能力が性能の閾値を超えている）場合、ハイブリッド媒体コントローラは、ステップ８４０において、第１の通信リンクと第２の通信リンクの両方を介した情報の送信をスケジューリングする。
【０１０７】
例えば、転送されているデータ量が少ない（例えば、通信能力が性能の閾値を下回っている）場合、ハイブリッド媒体コントローラは、ステップ８４０において、リモート端末との第２の通信リンクを使用するために第２のローカルトランシーバを選択する。第２の通信リンクは、第１の通信リンクの動作を支援する。第２の通信リンクは、第１の物理層プロトコルとは異なるか、または第１の物理層プロトコルと同じであるが、異なる周波数で動作する可能性がある第２の物理層プロトコルを使用する。
【０１０８】
データ量は、単に、（予測される）性能が性能の閾値を超えているかどうかを判定するために使用され得る１つの性能インジケータであるにすぎないことを理解されたい。例えば、レイテンシー、信頼性、高速な誤り回復、およびそれらの性能インジケータの任意の組み合わせが、使用され得る。
【０１０９】
図６の説明で説明されたように、性能が性能の閾値を超えるかどうかを判定する際に予測コンポーネントが存在し得る。例えば、ハイブリッド媒体コントローラは、使用中のアプリケーション（例えば、ユーザが高精細度テレビチャネルを見ていること）を知ることができ、次に、使用中のアプリケーションを使用中の１組の性能の閾値とコスト判定とに反映することができる。したがって、ユーザが素早い（テレビ）チャネルの変更を実行しようと決めるとき、ハイブリッド媒体コントローラは、古いストリームを含むバッファが役に立たなくなり、初めは（圧縮された）データから新しいストリームを生成するのに十分なデータがバッファにないことが多いので、（以下で説明されるように、第２の通信リンクを確立するかまたは拡張することによって）ほとんど瞬時に帯域幅を増やす可能性がある。
【０１１０】
第１のトランシーバおよび第２のトランシーバが通信するために使用された後、ハイブリッド媒体コントローラは、ステップ８４５において、第１の通信リンクが性能を維持するために使用中であるかどうかを判定する。ハイブリッド媒体コントローラは、１組の性能の閾値と、性能インジケータに基づくさまざまなコスト関数とを使用して、第１の通信リンクが性能を維持するために使用中であるかどうかを判定することができる。例えば、転送されるべきデータ量が多い（例えば、現在の通信能力が性能の閾値を下回っている）場合、ハイブリッド媒体コントローラは、第１の通信リンクおよび第２の通信リンクを監視および制御し続ける。
【０１１１】
ハイブリッド媒体コントローラは、図３に示されたハイブリッド媒体コントローラ３２０および３６０、または図１に示されたハイブリッド媒体コントローラ１２０および１６０を参照して上で説明されたのと同じようにして低レベル制御情報に基づいて通信リンクを制御することができる。したがって、簡潔にするために、低レベル制御情報に基づく通信リンクの制御の説明は、繰り返されない。
【０１１２】
第１の通信リンクが性能を維持するために使用中でない場合、第１のトランシーバが、ステップ８５０において、ハイブリッド媒体コントローラによってスタンバイ／スリープモードにされる。例えば、データ量が少ない（例えば、現在の能力が性能の閾値を十分に超えている）場合、ハイブリッド媒体コントローラは、第１のトランシーバをスタンバイ／スリープモードにすることができる。
【０１１３】
第１の通信リンクが性能を維持するために使用中である場合、ハイブリッド媒体コントローラは、ステップ８３５に進む。
【０１１４】
ハイブリッド媒体コントローラが第１のトランシーバをスタンバイ／スリープモードにすると、ハイブリッド媒体コントローラは、ステップ８５５において、性能インジケータに基づいて、第１の通信が性能を満足するために使用されるべきかどうかを監視する。ステップ８５５において第１の通信リンクが使用されるべきである場合、ハイブリッド媒体コントローラは、ステップ８１５に進む。
【０１１５】
第１の通信リンクおよび第２の通信リンクのすべてのあり得る状態が示されてはいないが、あり得る状態は、図８の上記の説明から理解されるに違いない。例えば、第１の通信リンクと第２の通信リンクの両方が、スリープ／スタンバイモードである可能性がある。
【０１１６】
例示的な実施形態が上に述べたように説明されているが、例示的な実施形態が多種多様である可能性があることは明らかであろう。例えば、固定アクセスネットワークは、無線ネットワークの高速な基幹ネットワークとして動作する可能性があり、ＲＴにインストールされた無線アクセスポイントは、無線ネットワークの中継器として使用され得る。固定ネットワークがスター型ネットワークを形成する可能性があり、一方、無線ネットワークは、そのスター型ネットワークに加わり、さらに、ＲＴ間の追加的な接続を提供する。
【０１１７】
その上、データまたは低レベル制御情報は、ＯＳＩスタックの中間レベルの層で転送される可能性がある。例えば、インターフェースが、自身のトランシーバスタック内の上位レベルに低レベル制御情報またはデータを提供することができ、データまたは低レベル制御情報が、無線インターフェースの層内の同じレベルに転送されることができる。そして、ローカルコントローラ（例えば、ローカルコントローラ１３５および１４５）の機能が、それぞれ、インターフェース（例えば、インターフェース１３２および１４２）において実行される。
【０１１８】
そのような変更は、例示的な実施形態の精神および範囲からの逸脱とみなされるべきでなく、当業者に明らかであろうすべての修正は、特許請求の範囲内に含まれるように意図される。
【図１】
0005602870.tif 000002
【図２】
0005602870.tif 000003
【図３】
0005602870.tif 000004
【図４】
0005602870.tif 000005
【図５Ａ】
0005602870.tif 000006
【図５Ｂ】
0005602870.tif 000007
【図６】
0005602870.tif 000008
【図７】
0005602870.tif 000009
【図８】
0005602870.tif 000010